(57)【特許請求の範囲】
【請求項１】
複数の部分番組情報から構成された番組情報と、上記複数の部分番組情報のそれぞれに対応した複数のバージョンからなる関連情報と、上記関連情報毎に設けられ関連情報の再生後に再生する当該関連情報と対応した上記部分番組情報へのポインタと、上記関連情報毎に設けられ当該関連情報の各バージョンへのポインタからなるバージョン選択テーブルと、上記関連情報毎に対応したバージョン選択テーブルへのポインタからなる分岐テーブルとからなる放送データを記憶する記憶手段と、
上記記憶手段が記憶した放送データを読み出して保持するデータサーバ手段と、
上記データサーバ手段に保持された放送データを放送する放送手段
を有することを特徴とする放送装置。
【請求項２】
複数のカテゴリに分類された複数の部分番組情報から構成された番組情報と、上記複数の部分番組情報のそれぞれに対応した上記複数のカテゴリに分類された複数のバージョンからなる関連情報と、上記関連情報毎に設けられ関連情報の再生後に再生する当該関連情報と対応した上記部分番組情報へのポインタと、上記関連情報毎に設けられ当該関連情報の各バージョンへのポインタからなるバージョン選択テーブルと、上記関連情報毎に対応したバージョン選択テーブルへのポインタからなる分岐テーブルとからなる放送データを記憶する記憶手段と、
上記記憶手段が記憶した放送データを読み出して保持するデータサーバ手段と、
上記データサーバ手段に保持された放送データを放送する放送手段
を有することを特徴とする放送装置。
【請求項３】
複数の部分番組情報から構成された番組情報と、上記複数の部分番組情報のそれぞれに対応した複数のバージョンからなる関連情報と、上記関連情報毎に設けられ関連情報の再生後に再生する当該関連情報と対応した上記部分番組情報へのポインタと、上記関連情報毎に設けられ当該関連情報の各バージョンへのポインタからなるバージョン選択テーブルと、上記関連情報毎に対応したバージョン選択テーブルへのポインタからなる分岐テーブルとからなる放送データを受信する受信手段と、
上記受信手段が受信した上記放送データを記憶する記憶手段と、
上記記憶手段に記憶された上記放送データを読み出して、任意の部分番組情報を再生すると共に、当該部分番組情報の再生後、次に再生すべき部分番組情報に対応する関連情報のうちのいずれかのバージョンを再生し、当該関連情報の再生後、上記次に再生すべき部分番組情報を再生する再生手段と
を有し、
上記再生手段は、上記次に再生すべき部分番組情報に対応した関連情報の選択回数をカウントして、上記次に再生すべき部分番組情報に対応した関連情報から上記カウント値に基づいたバージョンを再生する
ことを特徴とする放送再生装置。
【請求項４】
複数の部分番組情報から構成された番組情報と、上記複数の部分番組情報のそれぞれに対応した複数のバージョンからなる関連情報と、上記関連情報毎に設けられ関連情報の再生後に再生する当該関連情報と対応した上記部分番組情報へのポインタと、上記関連情報毎に設けられ当該関連情報の各バージョンへのポインタからなるバージョン選択テーブルと、上記関連情報毎に対応したバージョン選択テーブルへのポインタからなる分岐テーブルとからなる放送データを受信する受信手段と、
上記受信手段が受信した上記放送データを記憶する記憶手段と、
上記記憶手段に記憶された上記放送データを読み出して、任意の部分番組情報を再生すると共に、当該部分番組情報の再生後、次に再生すべき部分番組情報に対応する関連情報のうちのいずれかのバージョンを再生し、当該関連情報の再生後、上記次に再生すべき部分番組情報を再生する再生手段と
を有し、
上記再生手段は、乱数を発生させるとともに、上記次に再生すべき部分番組情報に対応した関連情報から上記乱数に基づいたバージョンを再生する
ことを特徴とする放送再生装置。
【請求項５】
複数のカテゴリに複数の分類された複数の部分番組情報から構成された番組情報と、上記複数の部分番組情報のそれぞれに対応した上記複数のカテゴリに分類された複数のバージョンからなる関連情報と、上記関連情報毎に設けられ関連情報の再生後に再生する当該関連情報と対応した上記部分番組情報へのポインタと、上記関連情報毎に設けられ当該関連情報の各バージョンへのポインタからなるバージョン選択テーブルと、上記関連情報毎に対応したバージョン選択テーブルへのポインタからなる分岐テーブルとからなる放送データを受信する受信手段と、
上記受信手段が受信した上記放送データを記憶する記憶手段と、
上記記憶手段に記憶された上記放送データを読み出して、任意の部分番組情報を再生すると共に、当該部分番組情報の再生後、次に再生すべき部分番組情報に対応する関連情報のうちのいずれかのバージョンを再生し、当該関連情報の再生後、上記次に再生すべき部分番組情報を再生する再生手段と
を有し、
上記再生手段は、上記次に再生すべき部分番組情報を分類した上記カテゴリの選択回数をカウンタでカウントして、上記次に再生すべき部分番組情報に対応した関連情報から上記カウント値に基づいて過去に選択回数の最も多いカテゴリに分類されたバージョンを再生する
ことを特徴とする放送再生装置。
【発明の詳細な説明】
【０００１】
【発明の属する技術分野】
この発明は、放送データを送信する放送装置、および受信した放送データを再生する放送再生装置に関し、特に、放送再生装置における放送データ再生時に番組内容に関連した広告などの関連情報を表示できるようにした放送装置および放送再生装置に関するものである。
【０００２】
【従来の技術】
従来、テレビ放送システム等の放送システムでは、放送装置側から受信側の放送再生装置側に放送データを送信し、受信側の放送再生装置側では、番組の選択により放送データは選択して再生できるものの、一定の番組を選択した場合には、その番組の番組情報や広告情報等を一方的に受信して再生していた。
【０００３】
【発明が解決しようとする課題】
しかし、このような従来の放送システムでは、上述したように、受信側となる再生装置側で一定の番組を選択した場合、その番組の番組情報や広告情報等を一方的に受信し再生していたため、視聴者としては不要な広告情報等の関連情報も視聴しなければならず、煩わしい、という問題があった。
【０００４】
この発明は、かかる問題点を解決するためになされたもので、視聴者にとって必要のない広告情報等の不要な関連情報を視聴せずに済み、視聴者の好みや嗜好に応じた関連情報を効果的に提供することのできる放送装置および放送再生装置を提供することを目的とする。
【０００５】
なお、先行技術調査の結果、特開平５−２８２３７１号公報に、シナリオに沿って分岐出来るようにメディアの情報を再生するマルチメディア再生システムの発明が記載された特開平５−２８２３７１号公報が見つかったが、この先行技術発明は、記録媒体に記録されたマルチメディアデータを、シナリオに従って単に再生させていくだけのものであり、放送データを対象にせず、また番組情報に関連した関連情報を再生するようなこともしていないので、本願発明とは関係がないものである。
【０００６】
【課題を解決するための手段】
上記課題を解決するため、請求項１記載の発明では、放送装置が、複数の部分番組情報から構成された番組情報と、上記複数の部分番組情報のそれぞれに対応した複数のバージョンからなる関連情報と、上記関連情報毎に設けられ関連情報の再生後に再生する当該関連情報と対応した上記部分番組情報へのポインタと、上記関連情報毎に設けられ当該関連情報の各バージョンへのポインタからなるバージョン選択テーブルと、上記関連情報毎に対応したバージョン選択テーブルへのポインタからなる分岐テーブルとからなる放送データを記憶する記憶手段と、上記記憶手段が記憶した放送データを読み出して保持するデータサーバ手段と、上記データサーバ手段に保持された放送データを放送する放送手段を有することを特徴とする。
【０００７】
また、請求項２記載の発明では、放送装置が、複数のカテゴリに分類された複数の部分番組情報から構成された番組情報と、上記複数の部分番組情報のそれぞれに対応した上記複数のカテゴリに分類された複数のバージョンからなる関連情報と、上記関連情報毎に設けられ関連情報の再生後に再生する当該関連情報と対応した上記部分番組情報へのポインタと、上記関連情報毎に設けられ当該関連情報の各バージョンへのポインタからなるバージョン選択テーブルと、上記関連情報毎に対応したバージョン選択テーブルへのポインタからなる分岐テーブルとからなる放送データを記憶する記憶手段と、上記記憶手段が記憶した放送データを読み出して保持するデータサーバ手段と、上記データサーバ手段に保持された放送データを放送する放送手段を有することを特徴とする。
【０００８】
また、請求項３記載の発明では、放送再生装置が、複数の部分番組情報から構成された番組情報と、上記複数の部分番組情報のそれぞれに対応した複数のバージョンからなる関連情報と、上記関連情報毎に設けられ関連情報の再生後に再生する当該関連情報と対応した上記部分番組情報へのポインタと、上記関連情報毎に設けられ当該関連情報の各バージョンへのポインタからなるバージョン選択テーブルと、上記関連情報毎に対応したバージョン選択テーブルへのポインタからなる分岐テーブルとからなる放送データを受信する受信手段と、上記受信手段が受信した上記放送データを記憶する記憶手段と、上記記憶手段に記憶された上記放送データを読み出して、任意の部分番組情報を再生すると共に、当該部分番組情報の再生後、次に再生すべき部分番組情報に対応する関連情報のうちのいずれかのバージョンを再生し、当該関連情報の再生後、上記次に再生すべき部分番組情報を再生する再生手段とを有し、上記再生手段は、上記次に再生すべき部分番組情報に対応した関連情報の選択回数をカウントして、上記次に再生すべき部分番組情報に対応した関連情報から上記カウント値に基づいたバージョンを再生することを特徴とする。
【０００９】
また、請求項４記載の発明では、放送再生装置が、複数の部分番組情報から構成された番組情報と、上記複数の部分番組情報のそれぞれに対応した複数のバージョンからなる関連情報と、上記関連情報毎に設けられ関連情報の再生後に再生する当該関連情報と対応した上記部分番組情報へのポインタと、上記関連情報毎に設けられ当該関連情報の各バージョンへのポインタからなるバージョン選択テーブルと、上記関連情報毎に対応したバージョン選択テーブルへのポインタからなる分岐テーブルとからなる放送データを受信する受信手段と、上記受信手段が受信した上記放送データを記憶する記憶手段と、上記記憶手段に記憶された上記放送データを読み出して、任意の部分番組情報を再生すると共に、当該部分番組情報の再生後、次に再生すべき部分番組情報に対応する関連情報のうちのいずれかのバージョンを再生し、当該関連情報の再生後、上記次に再生すべき部分番組情報を再生する再生手段とを有し、上記再生手段は、乱数を発生させるとともに、上記次に再生すべき部分番組情報に対応した関連情報から上記乱数に基づいたバージョンを再生することを特徴とする。
【００１０】
また、請求項５記載の発明では、放送再生装置が、複数のカテゴリに複数の分類された複数の部分番組情報から構成された番組情報と、上記複数の部分番組情報のそれぞれに対応した上記複数のカテゴリに分類された複数のバージョンからなる関連情報と、上記関連情報毎に設けられ関連情報の再生後に再生する当該関連情報と対応した上記部分番組情報へのポインタと、上記関連情報毎に設けられ当該関連情報の各バージョンへのポインタからなるバージョン選択テーブルと、上記関連情報毎に対応したバージョン選択テーブルへのポインタからなる分岐テーブルとからなる放送データを受信する受信手段と、上記受信手段が受信した上記放送データを記憶する記憶手段と、上記記憶手段に記憶された上記放送データを読み出して、任意の部分番組情報を再生すると共に、当該部分番組情報の再生後、次に再生すべき部分番組情報に対応する関連情報のうちのいずれかのバージョンを再生し、当該関連情報の再生後、上記次に再生すべき部分番組情報を再生する再生手段とを有し、上記再生手段は、上記次に再生すべき部分番組情報を分類した上記カテゴリの選択回数をカウンタでカウントして、上記次に再生すべき部分番組情報に対応した関連情報から上記カウント値に基づいて過去に選択回数の最も多いカテゴリに分類されたバージョンを再生することを特徴とする。
【００１１】
【発明の実施の形態】
実施の形態１．
図１は、本発明に係る放送装置、および放送再生装置それぞれの実施の形態１からなる放送システムの概略構成図である。
図１において、１０１は放送データ等を予め記憶した記憶部、１０２は記憶部１０１から放送データを読み出し保持するデータサーバ、１０３はデータサーバ１０２に保持された放送データを放送する放送部であり、これらにより放送装置Ａを構成している。
【００１２】
また、１０４は放送受信部、１０５は受信した放送データを記憶部１０８に記憶したり、読み出す記憶制御部、１０６は再生部、１０７はＣＲＴやＬＣＤ等からなる表示部、１０８は受信した放送データを記憶する記憶部であり、これらにより放送再生装置Ｂを構成している。
【００１３】
図２は、放送装置Ａから放送再生装置Ｂへ送信される放送データのデータ構造を示したものである。
図２において、２０５，２０７，２０９，２１１は、それぞれ、ある放送番組内容が複数（図２では、便宜上Part1〜Part4の４つとする。）に分割された部分映像音声情報であり、それぞれが音声および動画等からなる独立した部分番組内容を含んでいる。例えば、放送番組の内容がいわゆる“タウンガイド”のようなものである場合、部分映像音声情報２０５，２０７，２０９，２１１としては、それぞれ、“見所”、“食べ歩き”、“宿泊”、“おみやげ”、・・・等が該当することになる。
【００１４】
また、２０１，２０２，２０３，２０４は、それぞれ、部分映像音声情報２０５，２０７，２０９，２１１の再生開始アドレスである。なお、この再生開始アドレスは、図上では、“Start1”、“Start2”、“Start3”、“Start4”と示されている。
【００１５】
また、２０６，２０８，２１０，２１２は、それぞれ、他の部分映像音声情報等への分岐を示す分岐情報であり、再生部１０６は、各分岐情報２０６，２０８，２１０，２１２を実行すると、表示部１０７の画面上に分岐画面を表示して、視聴者からの選択肢入力を待つように構成されている。なお、本実施の形態１では、各分岐情報２０６，２０８，２１０，２１２とも共通の情報とし、分岐画面は、各部分映像音声情報２０５，２０７，２０９，２１１に対応した後述の図３に示すような内容のものが表示部１０７上に表示されることになる。
【００１６】
３０１は、表示部１０７上に表示される後述の分岐画面の各選択枝に対応したアドレス等がポインタ３１１〜３１５として設定された分岐テーブルである。
具体的には、ポインタ３１１として、デフォルト開始アドレスである部分映像音声情報２０５の再生開始アドレス２０１“Start1”が設定されており、ポインタ３１２として、部分映像音声情報２０７の関連映像音声情報４０４の再生開始アドレス４０１“Sub-start1”が、ポインタ３１３として、部分映像音声情報２０９の関連映像音声情報４０６の再生開始アドレス４０２“Sub-start2”が、ポインタ３１４として、部分映像音声情報２１１の関連映像音声情報４０８の再生開始アドレス４０３“Sub-start3”が、ポインタ３１５として、再生終了指令の再生開始アドレス“Ｅｎｄ”が設定されている。
【００１７】
また、４０４，４０６，４０８は、それぞれ部分映像音声情報２０７，２０９，２１１のそれぞれに対応してリンクした関連映像音声情報である。ここで、関連映像音声情報とは、部分映像音声情報がそれぞれ“見所”、“食べ歩き”、“宿泊”、“おみやげ”・・・等である場合、各部分映像音声情報４０４，４０６，４０８に出現するレストランや、ホテル、旅館、プレイスポット、グルメスポット等の関連した映像音声情報が該当することになる。
【００１８】
なお、各関連映像音声情報４０４，４０６，４０８は、分岐テーブル３０１に設定された再生開始アドレス４０１〜４０３に従って格納されていると共に、各関連映像音声情報４０４，４０６，４０８の最後には、各関連映像音声情報４０４，４０６，４０８とそれぞれ対応してリンクする部分映像音声情報２０７，２０９，２１１の再生開始アドレス２０２，２０３，２０４が設定されている。
【００１９】
図３は、再生部１０６が分岐情報２０６，２０８，２１０，２１２を処理した場合に表示部１０７上に表示される分岐画面３００の一例を示す図である。
図に示すように、分岐情報２０６，２０８，２１０，２１２を処理した場合には、各部分映像音声情報２０５，２０７，２０９，２１１のそれぞれに対応した“見所”、“食べ歩き”、“宿泊”、“おみやげ”、“終了”という選択枝を有する分岐画面３００が表示部１０７上に表示される。そして、その分岐画面３００上で、“→”等の移動するカーソルによって各選択枝が選択可能である。
【００２０】
なお、分岐画面３００上で“見所”の選択肢を選択すると、分岐テーブル３０１に基づき、デフォルト再生開始アドレスである部分映像音声情報２０５の再生開始アドレス２０１“Start1”が、“食べ歩き”の選択肢を選択すると、部分映像音声情報２０７に対応する関連映像音声情報４０４の再生開始アドレス４０１“Sub-start1”が、“宿泊”の選択肢を選択すると、部分映像音声情報２０９に対応する関連映像音声情報４０６の再生開始アドレス４０２“Sub-start2”が、“おみやげ”の選択肢を選択すると、部分映像音声情報２１１に対応する関連映像音声情報４０８の再生開始アドレス４０３“Sub-start3”がセットされ、その再生開始アドレスに基づき次の映像音声情報が再生され、“終了”の選択肢を選択すると、終了指令アドレス“Ｅｎｄ”がセットされ、映像音声情報の再生を終了することになる。
【００２１】
次に動作を説明する。
図１において、放送装置Ａ側では、データサーバ１０２は、図２に示すデータ構造をもった放送データを記憶部１０１から読み出し、放送できるように蓄積しているものとする。
放送部１０３は、放送データの送信を開始すると、データサーバ１０２から図２に示すデータ構造の放送データを順次出力させ、その放送データを送信する。
【００２２】
放送装置Ａから図２に示すデータ構造を持った放送データが放送されると、放送再生装置Ｂでは、放送受信部１０４が放送装置Ａからの放送データを受信して、記憶制御部１０５がその放送データを記憶部１０８に記憶する。
【００２３】
ここで、放送再生装置Ｂ側の視聴者が、記憶部１０８に記憶された放送データを再生する場合には、その視聴者は、表示部１０７を通じて再生要求を再生部１０６に送る。
【００２４】
すると、再生部１０６が表示部１０７を介して視聴者からの再生要求を受け取り、再生部１０６は、図４に示すフローチャートに従って放送データを再生する。
【００２５】
図４は、実施の形態１の再生部１０６における放送データの再生方式を示すフローチャートである。以下、図４を参照して、再生部１０６における再生処理を説明する。
【００２６】
再生部１０６が視聴者からの再生要求を受け取ると、その再生要求に基づいて、再生部１０６は、まず、再生開始アドレスを、部分映像音声情報２０５の再生開始アドレス２０１“Start1”に設定して（ステップＳ１）、部分映像音声情報２０５の再生を開始する。
【００２７】
具体的には、再生部１０６は、記憶制御部１０５に再生指令を送り、記憶部１０８に保存されている図２に示すデータ構造を有する受信放送データを読み出し、表示部１０７に送り、部分映像音声情報２０５から受信放送データの再生を行う（ステップＳ２）。
【００２８】
部分映像音声情報２０５の再生が終わり、分岐情報２０６を処理すると（ステップＳ３“Yes”）、再生部１０６は、表示部１０７の画面上に、図３に示すような次に表示すべき部分映像音声情報２０５，２０７，２０９，２１１を選択させるための選択枝等からなる分岐画面３００を表示部１０７に表示して、視聴者からの選択肢入力を待つようにする（ステップＳ４）。
【００２９】
表示部１０７に表示された分岐画面３００に基づいて視聴者により選択肢が選択されると、再生部１０６は、分岐テーブル３０１に従って、その選択された選択枝に対応した再生開始アドレスのポインタにより、対応する映像音声情報の再生開始アドレスをセットする（ステップＳ５）。
【００３０】
具体的には、“見所”の選択肢を選択した場合、デフォルト再生開始アドレスである部分映像音声情報２０５の再生開始アドレス２０１“Start1”、“食べ歩き”の選択肢を選択した場合には、部分映像音声情報２０７に対応する関連映像音声情報４０４の再生開始アドレス４０１“Sub-start1”、“宿泊”の選択肢を選択した場合には、部分映像音声情報２０９に対応する関連映像音声情報４０６の再生開始アドレス４０２“Sub-start2” “おみやげ”の選択肢を選択した場合には、部分映像音声情報２１１に対応する関連映像音声情報４０８の再生開始アドレス４０３“Sub-start3”へ移行し、“終了”の選択肢を選択した場合には、終了指令アドレス“Ｅｎｄ”に設定する。
【００３１】
次いで、再生部１０６は、設定したアドレスが終了指令アドレス“Ｅｎｄ”であるか否かを判断し（ステップS６）、設定したアドレスが終了命令アドレス“Ｅｎｄ”である場合には（ステップＳ６“Yes”）、再生部１０６は、そのアドレスにより、終了命令を実行して、受信放送データからなる番組の再生を終了する（ステップＳ７）。
【００３２】
これに対し、設定したアドレスが終了命令“Ｅｎｄ”ではない場合には（ステップＳ６“Ｎｏ”）、再生部１０６は、ステップＳ２に戻り、上述したステップＳ２以降の処理を行うことにより、視聴者により選択されて設定された再生開始アドレスから関連映像音声情報４０４，４０６，４０８あるいは部分映像音声情報２０５の再生を行なうようにする（ステップＳ２）。
【００３３】
具体的には、設定された再生開始アドレスが、デフォルト開始アドレスである部分映像音声情報２０５の再生開始アドレス２０１“Start1”の場合には、部分映像音声情報２０５の再生となるので、上述した通りである。
【００３４】
その一方、設定された再生開始アドレスが、関連映像音声情報４０４の再生開始アドレス４０１“Sub-start1”の場合には、図２に示すように、関連映像音声方法４０４を再生して、その再生後、部分映像音声情報２０７の再生開始アドレス２０２“Start2”を処理することにより、部分映像音声情報２０５の再生の場合と同様に、部分映像音声情報２０７を再生する。
【００３５】
これと同様に、設定された再生開始アドレスが、関連映像音声情報４０６の再生開始アドレス４０２“Sub-start2”の場合には、関連映像音声方法４０６を再生し、その再生後、部分映像音声情報２０９の再生開始アドレス２０３“Start3”により、部分映像音声情報２０９を再生し、また、設定された再生開始アドレスが、関連映像音声情報４０８の再生開始アドレス４０３“Sub-start3”の場合には、関連映像音声方法４０８を再生し、その再生後、部分映像音声情報２１１の再生開始アドレス２０４“Start4”により、部分映像音声情報２１１を再生するようにする。
【００３６】
従って、この実施の形態１の放送システムによれば、放送データを構成する各部分映像音声情報に、その各情報に関連した広告などの関連映像音声情報をリンクさせ、分岐画面３００により視聴者が部分映像音声情報を選択した場合には、その選択された部分映像音声情報に対応した関連映像情報のみをまず表示し、その後選択した部分映像音声情報を再生するようにしたため、視聴者側にとっては興味のない広告などを見なくても済むことになり、番組に対する好感度を上げることが可能となる。
【００３７】
なお、上記実施の形態１では、再生部１０６は、最初、部分映像音声情報２０５の再生開始アドレス２０１“Start1”に設定して、部分映像音声情報２０５から表示するように説明したが、本発明では、これに限らず、部分映像音声情報２０５，２０７，２０９，２１１を視聴者が選択して表示するようにしても良い。
ただし、そのためには、例えば、部分映像音声情報２０５，２０７，２０９，２１１を表示する前に、これら部分映像音声情報２０５，２０７，２０９，２１１の見出しを一覧としたメニュー画面（図示せず。）を表示するようにする共に、そのメニュー画面における各部分映像音声情報２０５，２０７，２０９，２１１の見出し欄をクリック等により選択させるようにして、ランダムに各部分映像音声情報２０５，２０７，２０９，２１１を選択できるようにすれば良い。このようにすれば、最初の部分映像音声情報の再生から、視聴者の選択に基づき、より視聴者にとって有益な情報のみを提供することが可能になる。
【００３８】
実施の形態２．
この実施の形態２の放送再生装置は、上述の実施の形態１の放送システムを改良したもので、放送装置Ａから放送再生装置Ｂへ送信される放送データのデータ構造を拡張することによって、実施の形態１に加えてさらに複数バージョンの広告などの関連情報を一定の順序に従って表示するようにしたことを特徴とするものである。なお、システム構成については、実施の形態１と同様であるので、説明は省略して、放送データのデータ構造を図示して説明するものとする。
【００３９】
図５は、本実施の形態２において放送装置Ａから放送再生装置Ｂへ送信される放送データのデータ構造を示した図である。尚、図２に示す実施の形態２の放送データの構成と同じものには、同一符号を付してその説明は省略して、新規なもののみを説明するものとする。
図において、５０１，５０２，５０３は、それぞれ、分岐テーブル３０１に設定された各選択肢に対応した部分映像音声情報２０７，２０９，２１１に関連する複数のバージョンから成る関連映像音声情報６０８，６１０，・・・，６２０の再生開始アドレス６０１〜６０７をポインタとして保持する関連情報バージョン選択テーブルである。
【００４０】
このため、この実施の形態２では、分岐テーブル３０１には、実施の形態1のように関連映像音声情報の再生開始アドレスが直接設定されているのではなく、その代わりに、関連情報バージョン選択テーブル５０１、５０２、５０３の再生開始アドレス５０４，５０５，５０６がポインタとして設定されている。
【００４１】
ここで、関連映像音声情報のバージョンの例としては、次のようなものが考えられる。
（１）関連映像音声情報が洋服店等の広告であれば、紳士服の広告、婦人服の広告、子供服等の広告がそれぞれ別バージョンとなる。また、関連映像音声情報がデパート等の広告であれば、婦人服、紳士服、子供服等のほかに、食品売り場、レストラン、家具、文房具等がそれぞれ別バージョンとなる。
（２）関連映像音声情報がストーリー性（例えば恋愛など）を持った広告であれば、出会い編、発展編、ハッピーエンド編等がそれぞれ別バージョンとなる。
（３）関連映像音声情報がレストランの広告であれば、家族向け、カップル向け、パーティ向け等がそれぞれ別バージョンとなる。
【００４２】
また、６０８，６１０は、それぞれ、Part2の部分映像音声情報２０７に関連した複数(図５では、便宜上２個しか示していない。)のバージョン1，２の関連映像音声情報であり、６０１，６０２はそれぞれの関連映像音声情報６０８，６１０の再生開始アドレス“Sub-start1-1”，“Sub-start1-2”である。
【００４３】
同様に、６１２，６１４は、Part３の部分映像音声情報２０９に関連した複数(図５では、便宜上２個しか示していない。)のバージョン１，２の関連映像音声情報であり、６０３，６０４はそれぞれ関連映像音声情報６１２，６１４の再生開始アドレス“Sub-start2-1”，“Sub-start2-2”である。また、６１６，６１８，６２０は、Part４の部分映像音声情報２１１に関連した複数(図５では、便宜上３個しか示していない。)のバージョン１，２の関連映像音声情報であり、６０５，６０６，６０７はそれぞれ関連映像音声情報６１６，６１８，６２０の再生開始アドレスSub-start3-1”，“Sub-start3-2”，“Sub-start3-3”である。
【００４４】
なお、関連映像音声情報６０８，６１０，・・・，６１８，６２０の後には、それぞれ、各関連映像音声情報６０８，６１０，・・・，６１８，６２０の再生後に再生される各関連映像音声情報６０８，６１０，・・・，６１８，６２０に対応した部分映像音声情報２０７，２０９，２１１の再生開始アドレス２０２，２０３，２０４が設定されている。
【００４５】
図６は、本実施の形態２の放送再生部Ｂの再生部１０６における放送データの再生方式を示すフローチャートである。図５を用いて、本実施の形態２の放送再生部Ｂの再生部１０６における再生処理を説明する。
なお、実施の形態１の場合と同様にして、放送装置Ａから放送再生装置Ｂへは図５に示すデータ構造の放送データが送信され、記憶部１０８には、そのようなデータ構造の放送データが記憶されているものとする。
【００４６】
まず、再生部１０６が視聴者からの再生要求を受け取ると、再生部１０６は、再生開始アドレスを再生開始アドレス２０１の“Start1”に設定し、部分映像音声情報２０５の再生を始める（ステップＳ１）。なお、視聴者の選択により、任意の部分映像音声情報２０５〜２１１から再生を開始しても良いことは実施の形態１と同じである。
【００４７】
すると、順次、記憶制御部１０５の記憶部１０８に保存されている図５に示すデータ構造の放送データが表示部１０７に送られ、部分映像音声情報２０５から放送データの再生が行われる（ステップＳ２）。
【００４８】
部分映像音声情報の再生が終わり、分岐情報２０６を処理すると（ステップＳ３）、再生部１０６は、その分岐情報２０６に基づいて、図３に示すような分岐画面３００を表示部１０７上に表示して、視聴者からの選択肢入力を待つ（ステップＳ４）。
【００４９】
分岐画面３００に基づいて視聴者から選択肢が入力されると、再生部１０６は、分岐テーブル３０１に従って、その選択肢の入力に基づき、選択肢に応じた関連情報バージョン選択テーブル５０１，５０２，５０３の再生開始アドレス５０４，５０５，５０６、デフォルト再生開始アドレス２０１、あるいは終了指令アドレス“Ｅｎｄ”のいずれかに設定する（ステップＳ５）。
【００５０】
次いで、再生部１０６は、設定された再生開始アドレスが終了指令アドレス“Ｅｎｄ”であるか否かを判定して（ステップＳ６）、終了指令アドレス“Ｅｎｄ”である場合には（ステップＳ６“Ｙｅｓ”）、放送データの再生処理を終了するようにする（ステップＳ７）。ここまでの処理は、上記実施の形態１とほぼ同様である。
【００５１】
これに対し、設定された再生開始アドレスが終了指令アドレス“Ｅｎｄ”でない場合には（ステップＳ６“Ｎｏ”）、この実施の形態２の再生部１０６では、続いてデフォルト再生開始アドレス２０１“Start1”であるか否かを判定し（ステップＳ８）、デフォルト再生開始アドレス２０１“Start1”である場合には（ステップＳ８“Ｙｅｓ”）、ステップＳ２へ戻り、再び、部分映像音声情報２０５から再生を行うようにする。
【００５２】
一方、設定された再生開始アドレスがデフォルト再生開始アドレス２０１“Start1”でない場合には（ステップＳ８“Ｎｏ”）、設定された再生開始アドレスは残りの関連情報バージョン選択テーブル５０１，５０２，５０３の再生開始アドレス５０４，５０５，５０６の場合であるため、再生部１０６は、設定された再生開始アドレス５０４，５０５，５０６が示す関連情報バージョン選択テーブル５０１，５０２，５０３を参照して、それぞれの関連情報バージョン選択テーブル５０１，５０２，５０３が保持する各バージョンの関連映像音声情報の再生開始アドレスの中から一つの再生開始アドレス（ポインタ）をセットして（ステップＳ９）、その再生開始アドレスが示す関連映像音声情報を再生するようにする。
【００５３】
図７は、関連情報バージョン選択テーブル５０１の内部構造を示す図である。図において、５０２はこの関連情報バージョン選択テーブル５０１を再生部１０６が何回訪問、すなわち何回アクセスしたかを示すカウンタであり、再生部１０６からのアクセス毎にインクリメントされるものである。
【００５４】
また、５１１，５１２，・・・，５１ｎは、Part2の部分映像音声情報２０７に対応する関連情報バージョンである各バージョンの関連映像音声情報６０８，６１０等の再生開始アドレスを示すポインタである。例えば、関連情報バージョン１へのポインタ５１１には、バージョン１の関連映像音声情報６０８の再生開始アドレス６０１“Sub-start1-1”が設定されており、関連情報バージョン１へのポインタ５１２には、バージョン２の関連映像音声情報６１０の再生開始アドレス６０２“Sub-start1-2”が設定され、関連情報バージョン１へのポインタ５１ｎには、バージョンｎの関連映像音声情報（図示せず。）の再生開始アドレス“Sub-start1-n”が設定されている。
【００５５】
再生部１０６は、図６のステップＳ９の処理の際に、選択された各関連情報パターン選択テーブル５０１，５０２，５０３を参照して、各関連情報パターン選択テーブル５０１，５０２，５０３のカウンタ値を関連映像音声情報のバージョン数ｎで割った剰余の値を求め、この剰余の値により各関連情報バージョン１〜ｎのポインタである再生開始アドレスを順番にセットする。
【００５６】
すると、ステップＳ９の後は、ステップＳ２の処理に戻るので、まず、ステップＳ９の処理で設定されたバージョンの関連映像音声情報が再生され、その関連映像音声情報の再生が終了すると、関連映像音声情報の最後には対応する部分映像音声情報の再生開始アドレスが設定されているため、続いてその再生開始アドレスが示す部分映像音声情報の再生を行なう。
【００５７】
例えば、関連情報バージョン選択テーブル５０１が初めて選択された場合には、訪問回数カウンタ５０２には、“１”が設定され、関連情報バージョン１へのポインタ、すなわちバージョン１の関連映像音声情報６０８の再生開始アドレス６０１“Sub-start1-1”が指定され、バージョン１の関連映像音声情報６０８が再生される。その再生終了後は、部分映像音声情報２０７へのポインタ６０９“Start2”の処理により、部分映像音声情報２０７を再生を行うことになる。
【００５８】
そして、次に関連情報バージョン選択テーブル５０１が選択された場合には、訪問回数カウンタ５０２には、“２”が設定され、関連情報バージョン２へのポインタ、すなわちバージョン２の関連映像音声情報６０８の再生開始アドレス６０２“Sub-start1-2”が指定されて、バージョン２の関連映像音声情報６１０が再生される。
【００５９】
このように、関連情報バージョン選択テーブル５０１の訪問毎に、その訪問回数に基づいて関連映像音声情報のバージョンが順次更新されて再生され、バージョンｎの関連映像音声情報が再生された後は、バージョン１の関連映像音声情報６０８の再生に戻るようにする。
【００６０】
以下、分岐画面３００における選択肢入力において、終了命令アドレスが選択されるまで、この過程が繰り返されることになる。
【００６１】
このため、再生部１０６は、関連情報バージョン選択テーブル５０１を訪問する毎に、この関連情報バージョン選択テーブル５０１にポインタが設定されている各バージョン１〜ｎの関連映像音声情報を、バージョン１の関連映像音声情報６０８、バージョン２の関連映像音声情報６０９、…、バージョンｎの関連映像音声情報というように再生し、その再生後は最初に戻って、バージョン１の関連映像音声情報６０８…というようにバージョン１〜ｎの関連映像音声情報をサイクリックに選択して表示部１０７上に表示できることになる。なお、他の関連情報バージョン選択テーブル５０２，５０３も、この図６に示す関連情報バージョン選択テーブル５０１と同様に構成されており、関連情報バージョン選択テーブル５０１の場合と同様に訪問回数により各バージョンの関連映像音声サイックリックに選択して表示することができる。
【００６２】
従って、この実施の形態２によれば、分岐テーブル３０１と関連映像音声情報との間に、関連情報バージョン選択テーブル５０１〜５０３を設けて、その関連情報バージョン選択テーブル５０１〜５０３への訪問回数、すなわちアクセス回数により、バージョンの異なる関連映像音声情報を順次切り替えて表示するようにしたため、視聴者が選択した番組内容に関連した広告などの関連映像音声情報を、見るたび毎に異なったバージョンで見せることができ、広告などの効果を高めることが可能となる。
【００６３】
なお、この実施の形態２では、図６のステップＳ９において、関連情報バージョン選択テーブル５０１の場合であれば訪問回数カウンタ５０２の値によって当該関連情報バージョン選択テーブル５０１から一つの関連映像音声情報のバージョンを選択するように説明したが、訪問回数カウンタ５０２を用いずに、関連情報バージョン選択テーブルから一つの関連映像音声情報のバージョンを選択する際に乱数を発生させ、この乱数を関連映像音声情報のバージョンの数で割った剰余の値を求めることにより、関連映像音声情報のバージョンをランダムに決定するようにしても良い。この場合、乱数によって再生すべき関連映像音声情報のバージョンをランダムに決定することが出来るので、カウンタ値により順次バージョンが更新される場合よりも、意外性が増し、視聴者にとってより面白味が増すことになる。
【００６４】
実施の形態３．
本実施の形態３では、実施の形態２と同じシステム構成を用いて、複数バージョンの広告などの関連情報を視聴者の過去の視聴傾向に合うように表示する放送システムについて説明を行う。システム構成、および関連映像音声情報のバージョンを選択する方法以外の動作については、上記実施の形態２と同様であるため、本実施の形態３では、関連映像音声情報のバージョンを選択する方法についてのみ説明することにする。
【００６５】
図８は、本実施の形態３の放送再生部Ｂの再生部１０６における処理内容を示すフローチャートである。図６に示す実施の形態２のフローチャートと比較すると、ステップＳ４と、ステップＳ５との間に、新たなステップＳ４−２の処理、すなわち視聴者入力を分類して保存する処理が挿入されている点が異なっている。
【００６６】
図９は、本実施の形態３における関連情報バージョン選択テーブル８０１の構成を示す図である。
図において、８１１ａ〜８１ｎａは、それぞれ、Part2の部分映像音声情報２０７に対応する各バージョンの関連映像音声情報（関連情報バージョン１〜ｎ）６０８，６１０，・・・の再生開始アドレスを示すポインタである。
【００６７】
また、８１１ｂ〜８１ｎｂは、それぞれ、Part2の部分映像音声情報２０７に対応する各バージョンの関連映像音声情報（関連情報バージョン１〜ｎ）６０８，６１０，・・・の属するカテゴリを示すカテゴリ識別子である。
【００６８】
つまり、本実施の形態３の関連情報バージョン選択テーブル８０１では、各関連情報バージョン１〜ｎの再生開始アドレス（ポインタ）毎に、各関連情報バージョン１〜ｎがどのようなカテゴリに属するかをカテゴリ識別子８１１ｂ〜８１ｎｂにより識別している。具体的には、関連情報バージョン１はカテゴリ識別子１、関連情報バージョン２はカテゴリ識別子２、…、関連情報バージョンｎはカテゴリ識別子ｎ、というように、各カテゴリ識別子により、各関連情報バージョンがどのようなカテゴリに属するかを識別している。
【００６９】
次に動作を説明する。なお、図８において、ステップＳ１〜ステップＳ４までの処理については、図６に示す実施の形態２の処理と同様であるため、説明を省略するものとする。
【００７０】
さて、ステップＳ４の処理により、再生部１０６は、表示部１０７の画面上に、図３に示すような分岐画面３００を表示して、視聴者からの選択肢入力を待ち、分岐画面３００を参照して視聴者から選択肢の入力があると、再生部１０６は、視聴者入力をカテゴリ毎に分類して記憶する（ステップＳ４−２）。つまり、図３に示すような分岐画面３００における“見所”や“食べ歩き”等の部分映像音声情報２０５，２０７，２０９，２１１，・・・に対応した各選択枝は、予め所定のカテゴリに応じて分類されているため、再生部１０６は、視聴者が選択した選択肢が属するカテゴリの選択回数を内部メモリ（図示せず。）や記憶部１０８等に分類して記憶する。
【００７１】
また、再生部１０６は、分岐画面３００に基づいて視聴者により選択肢が選択されると、再生部１０６は、分岐テーブル３０１に従ってその選択された選択枝に対応した再生開始アドレスをセットし（ステップＳ５）、続いてそのセットした再生開始アドレスが終了指令アドレス“Ｅｎｄ”であるか否かを判定する（ステップＳ６）。終了指令アドレス“Ｅｎｄ”である場合には（ステップＳ６“Ｙｅｓ”）、放送データの再生処理を終了する一方（ステップＳ７）、設定された再生開始アドレスが終了指令アドレス“Ｅｎｄ”でない場合には（ステップＳ６“Ｎｏ”）、続いてデフォルト再生開始アドレス２０１“Start1”であるか否かを判定する（ステップＳ８）。
【００７２】
ここで、デフォルト再生開始アドレス２０１“Start1”である場合には（ステップＳ８“Ｙｅｓ”）、ステップＳ２へ戻り、再び、そのデフォルト再生開始アドレス２０１が示す部分映像音声情報２０５から再生を行うようにする。
【００７３】
これに対し、設定された再生開始アドレスがデフォルト再生開始アドレス２０１“Start1”でない場合には（ステップＳ８“Ｎｏ”）、設定された再生開始アドレスは残りの関連情報バージョン選択テーブル８０１，８０２，８０３の再生開始アドレスであるため、再生部１０６は、内部メモリ（図示せず。）等に記憶しておいた視聴者が過去選択した選択枝のカテゴリ毎の選択回数に基づいて、選択枝により選択された関連情報バージョン選択テーブル８０１，８０２，８０３の中から、過去選択回数の一番多いカテゴリのカテゴリ識別子が設定された関連映像音声情報のポインタを選び、そのポインタである再生開始アドレスをセットするようにする（ステップＳ９）。
【００７４】
例えば、視聴者が、分岐画面３００等に基づいて、例えば、“おみやげ”の選択枝を選択した場合、おみやげのカテゴリがカテゴリ４であったとしても、過去視聴者によって選択された選択回数の最も多い選択枝のカテゴリが、選択枝“食べ歩き”のカテゴリ２であった場合には、“おみやげ”の選択枝に対応した関連情報バージョン選択テーブル８０１の中から、その過去視聴者の選択回数の最も多いカテゴリであるカテゴリ２のカテゴリ識別子８１２ｂを有する関連情報バージョン２へのポインタ８１２ａである関連情報バージョン２の再生開始アドレスがセットされることになる。
【００７５】
そして、再生部１０６は、ステップ２の処理に戻り、セットされた再生開始アドレスの映像音声情報の再生を行うので、視聴者が過去に選択した選択肢が属するカテゴリのうちで、もっとも選択頻度の高いものと同じカテゴリのカテゴリ識別子を持った関連映像音声情報のバージョンを再生することになる。その後の処理は実施の形態２と同様である。
【００７６】
従って、この実施の形態３によれば、関連映像音声情報のバージョンは、視聴者が分岐画面３００を参照して過去に選択した選択枝のカテゴリの選択回数に従って選択されるので、視聴者の過去の視聴傾向に沿ったより選択頻度の高いカテゴリの広告などの関連映像音声情報を視聴者に見せることができ、関連映像音声情報による広告等の効果をより高めることが可能となる。
【００７７】
【発明の効果】
以上説明したように、本発明では、放送データを構成する各部分映像音声情報に、その各情報に関連した関連映像音声情報をリンクさせ、視聴者が部分映像音声情報を選択した場合には、その選択された部分映像音声情報に対応した関連映像情報のみを表示し、その後選択した部分映像音声情報を再生するようにしたため、視聴者側にとっては興味のない広告などを見なくても済むことになり、放送データの番組に対する好感度を上げることが可能となる。
【図面の簡単な説明】
【図１】  本発明に係る放送装置、および放送再生装置それぞれの実施の形態１からなる放送システムの概略構成図である。
【図２】  放送装置Ａから放送再生装置Ｂへ送信される放送データのデータ構造を示す図である。
【図３】  再生部１０６が分岐情報２０６，２０８，２１０，２１２を処理した場合に表示部１０７上に表示される分岐情報３００の一例を示す図である。
【図４】  実施の形態１の再生部１０６における放送データの再生方式を示すフローチャートである。
【図５】  実施の形態２において放送装置Ａから放送再生装置Ｂへ送信される放送データのデータ構造を示した図である。
【図６】  実施の形態２の放送再生部Ｂの再生部１０６における放送データの再生方式を示すフローチャートである。
【図７】  実施の形態２における関連情報バージョン選択テーブル５０１の内部構造を示す図である。
【図８】  実施の形態３の放送再生部Ｂの再生部１０６における処理内容を示すフローチャートである。
【図９】  実施の形態３における関連情報バージョン選択テーブル８０１の構成を示す図である。
【符号の説明】
Ａ  放送装置、Ｂ  放送再生装置、１０２  データサーバ、１０３  放送部、１０１  記憶部、１０４  放送受信部、１０５  記憶制御部、１０６  再生部、１０７  表示部、１０８  記憶部、２０１〜２０４  部分映像音声情報の再生開始アドレス、２０５，２０７，２０９，２１１  部分映像音声情報、２０６，２０８，２１０，２１２  分岐情報、３００  分岐画面、３０１  分岐テーブル、４０１〜４０３  関連映像音声情報の再生開始アドレス、４０４，４０６，４０８  関連映像音声情報、５０１〜５０３，８０１  関連情報バージョン選択テーブル、６０１〜６０７  関連映像音声情報の再生開始アドレス、６０８，６１０，６１２，６１４，６１６，６１８，６２０  バージョン別の関連音声映像情報（関連情報バージョン）、７０２  訪問回数カウンタ、８０２〜８０４  カテゴリ識別子。
【図１】
0004221776.tif 000002
【図２】
0004221776.tif 000003
【図３】
0004221776.tif 000004
【図４】
0004221776.tif 000005
【図５】
0004221776.tif 000006
【図６】
0004221776.tif 000007
【図７】
0004221776.tif 000008
【図８】
0004221776.tif 000009
【図９】
0004221776.tif 000010